(57)【特許請求の範囲】
【請求項１】
コンベア・チェーン・ユニットどうしを連結するために使用するコンベア・チェーン・ユニット連結棒の抜けを防止するためのコンベア・チェーン・ユニット連結棒係止プラグであって、
前記コンベア・チェーン・ユニットは、横方向に延びるリブ２と、当該リブから縦方向前後に延びる複数の突出部３を有するコンベア・チェーン・ユニットであって、当該突出部３には連結棒２１が挿入可能な開口部５が形成され、当該開口部５に連結棒２１を貫通してコンベア・チェーン・ユニットどうしを相互に連結するようにされ、
前記プラグは、第１のフック部１３と第２のフック部１４とこれらを連結する連結部１５を有し、
前記コンベア・チェーン・ユニットは、リブ２に横溝９が形成されており、
前記プラグは、第１のフック部１３が前記コンベア・チェーン・ユニットの両端部の突出部３ａの開口部に押し込まれて当該突出部３ａを形成する側壁の内側に係止され、第２のフック部１４が前記コンベア・チェーン・ユニットのリブ２に形成された横溝９に係止されて、コンベア・チェーン・ユニットに固定されるようにした、
ことを特徴とするコンベア・チェーン・ユニット連結棒係止プラグ。
【請求項２】
前記コンベア・チェーン・ユニットの突出部３ａの側壁外側に溝７が形成され、前記プラグの連結部１５が前記溝７に受け入れられるようにした請求項１に記載のコンベア・チェーン・ユニット連結棒係止プラグ。
【請求項３】
前記プラグの連結部が２つのフック部のうちの前記開口部内に押し込まれる第１のフック部を越えて突き出ている請求項２に記載のコンベア・チェーン・ユニット連結棒係止プラグ。
【請求項４】
前記プラグの連結部の外周面端部にはテーパーが設けられている請求項２に記載のコンベア・チェーン・ユニット連結棒係止プラグ。
【請求項５】
コンベア・チェーン・ユニット連結棒によって相互に連結されるようにしたコンベア・チェーン・ユニットであって、
前記コンベア・チェーン・ユニットは、横方向に延びるリブ２と、当該リブから縦方向前後に延びる複数の突出部３を有するコンベア・チェーン・ユニットであって、当該突出部３はコンベア・チェーン・ユニット連結棒２１が挿入可能な開口部５が設けられ、該開口部５に連結棒２１を貫通してコンベア・チェーン・ユニットどうしを相互に連結するようにされ、前記リブ２は横溝９が形成され、
コンベア・チェーン・ユニット連結棒係止プラグが第１のフック部１３と第２のフック部１４を有し、前記第１のフック部１３が前記コンベア・チェーン・ユニットの端部の突出部３ａの開口部５に挿入されて当該端部の突出部３ａを形成する側壁の内側に係止されるようになし、前記第２のフック部１４が前記コンベア・チェーン・ユニットのリブ２に形成された横溝９に係止されるようになしてコンベア・チェーン・ユニット連結棒２１がコンベア・チェーン・ユニットから抜けないようにした、
ことを特徴とするコンベア・チェーン・ユニット。
【発明の詳細な説明】
【０００１】
【発明の属する技術分野】
本願発明は、コンベア・チェーン・ユニット（以下、単に「ユニット」ともいう）を連結するための連結棒の抜けを防止するプラグに関する。
【０００２】
【従来の技術】
従来から、主にプラスチック成形された複数種類のユニットを横幅方向に複数個連結していろいろな幅のコンベア・チェーンを形成することが行われてきた。この場合、両サイドに使用されるユニットは、サイドとしての端面を有し、且つユニット相互を連結するための連結棒又はピンを係止するためのプラグを受け入れるため処理を行わなければならないために、コンベア・チェーンの中間部にて使用されるユニットとは別個の種類のものを用意しなければならなかった。従って、例えば２種類の幅のユニットを用いる場合には、それぞれが両端部用のものと、中間部用のものと、少なくとも４種類以上のユニットを製作する必要があった。
【０００３】
【発明が解決しようとする課題】
このように、従来技術においては、ピンの制約上両端用のユニットと中央用のユニットの別個の単体を提供しなければならず合理的ではなかった。また、過度な横方法の負荷がピンに加わるとプラグがユニットから取れピンが外れてしまうという問題を有していた。
【０００４】
一方、連結棒が貫通する開口部にねじ込むような形状によって連結棒の抜けを防止するプラグが既に知られているが、かかる構造では、金属に比べてストレスに比較的弱いプラスチック材などの使用が難しく長時間の使用に耐え得ず、特にサイズの小さいユニットの場合には使用することができないでいた。
【０００５】
従って、本願発明は、２種類のユニットのみを提供できるようにそのユニットの形状に制約を与えず、しかも簡単に組み込むことは可能だが容易には外れない新規で有効なプラグを提供することを目的とする。
【０００６】
【課題を解決するための手段】
このために、本願発明においては、コンベア・チェーン・ユニットどうしを連結するために使用するコンベア・チェーン・ユニット連結棒の抜けを防止するためのコンベア・チェーン・ユニット連結棒係止プラグであって、コンベア・チェーン・ユニットは、横方向に延びるリブ２と、当該リブから縦方向前後に延びる複数の突出部３を有するコンベア・チェーン・ユニットであって、当該突出部３には連結棒２１が挿入可能な開口部５が形成され、当該開口部５に連結棒２１を貫通してコンベア・チェーン・ユニットどうしを相互に連結するようにされ、プラグは第１のフック部１３と第２のフック部１４とこれらを連結する連結部１５を有し、前記コンベア・チェーン・ユニットはリブ２に横溝９が形成されており、プラグは、第１のフック部１３が前記コンベア・チェーン・ユニットの両端部の突出部３ａの開口部に押し込まれて当該突出部３ａを形成する側壁の内側に係止され、第２のフック部１４が前記コンベア・チェーン・ユニットのリブ２に形成された横溝９に係止されてコンベア・チェーン・ユニットに固定されるようにしたことを特徴とするコンベア・チェーン・ユニット連結棒係止プラグを提供する。
【０００７】
さらに、プラグの両フックを連結部で連結させ、その連結部をコンベア・チェーン・ユニットの両端部の突出部外側端面に形成された溝に嵌合させるように適合させたプラグを提供する。
【０００８】
また、コンベア・チェーン・ユニットの突出部をリブから延びる側壁から構成させ、プラグの第２のフックが開口部を通って１つの側壁の裏側で係止するようにした。
【０００９】
更には、プラグの連結部うちの一方であるフックが開口部内に押し込まれる方向の連結部からフックを越えて突き出すように構成した。
【００１０】
【発明の実施の形態】
以下、本願発明に係るプラグをそれが使用されるコンベア・チェーン・ユニット及びそれを縦横方向に複数連結してなるコンベア・チェーン・ユニットの具体例を図を参照しつつ説明する。
【００１１】
図１は、本願発明にかかるプラグが適用可能なコンベア・チェーン・ユニットの一実施例である。図１のＡは、ユニットの搬送面側を示す。ユニットの搬送面１において、中央を直線状に通る一本のリブ２の両側直角方向に同一幅の突出部３が設けられる。該突出部３はそれぞれの方向に同数設けられ、かつその数は偶数でなければならない。さらに、該突出部３はそれぞれの方向に交互に等間隔に設けられる。つまり、該ユニットは、搬送面の中心点２０において、それぞれ点対称になるように構成され、これによって、該ユニットが相互に連結され、任意の幅のコンベア・チェーンを構成することを可能にするのである。
【００１２】
突出部３は、リブ２につながる２つの側壁４と搬送面１によって構成される。そして、該側壁４には、ユニットを相互に連結する連結棒（図２における２１）を前記リブと平行方向に貫通させるための連結棒用開口部５が設けられる。
【００１３】
搬送面１は、その用途に応じて、必ずしも平坦なフラット面である必要性はなく、任意形状の開孔部を設けてもよい。さらに、搬送物との関係によって、リブ若しくはいぼ状の突起、プッシャー、サイドガイドを設けたり、又はマグネット板やゴム片等を貼付してもよい。
【００１４】
ユニットの外側両端部の端部突出部３ａの端部搬送面１ａは、リブ２を越えて反対側に配置されているすぐ隣りの突出部３の側壁４に接続するようにする。このようにすることによって、ユニットを複数連結した場合に、その端部搬送面において隙間の少ない連結面を構成することができる。該端部搬送面における連結面は図２のＡに示すとおりである。
【００１５】
図１のＢは図１のＡの矢印方向面を図示し、図１のＣは図１のＡに示す搬送面の裏側を図示する。ユニットの搬送面の裏側、即ち下面において、前記リブ２における所定数間隔の前記突出部３の側壁４に囲まれた部分に凹部１０を設け、さらに該凹部１０に対応する前記突出部３の前記連結棒２１が貫通する部分を円筒とする。これにより、コンベア・チェーンを駆動するための駆動歯車が該凹部に入り込んで該円筒に当接して歯合するようにする。このように、駆動歯車が本コンベア・チェーンに当接する部分を円筒状にすることにより、駆動歯車から受ける駆動ストレスに対して丈夫で耐久性の高いユニットとし、同一駆動歯車の同一歯部による該円筒部における正逆回転を可能とした。
【００１６】
図１のＤは、図１のＡの側面図である。ここに示されているとおり、本ユニットの下面中央部１２であるリブ２から両側の突出部３にかけて円弧が形成されるようにする。これにより、複数のユニットを連結してコンベア・チェーンを構成した場合に、該ユニットの下面が所定半径の丸棒状のコーナーガイドに面接触するようにし、もって偏摩耗を排除して耐久性を向上させている。コンベア・チェーンが平面走行している際には、両突出部下の２カ所の平面部１８がコンベア台上を滑動する。
【００１７】
図２のＢは、ユニットを横長方向から見た図であり、リブ２を正面から見る。
図２のＣは、ユニットの下面を表す。
【００１８】
図２は、図１のコンベア・チェーン・ユニットを縦横方向に複数個連結したコンベア・チェーンを示す。ここでは、図１に示したユニットを基本幅とする第１のユニットとした場合に、該第１のユニットの半分の幅であって前記突出部の数が半分である第２のユニットを用い、これら２種類のユニットを、横幅方向へ複数個連結することにより、所定幅のコンベア・チェーンを構成している。
【００１９】
さらに、図２の例においては、前記２種類の長さのユニットをコンベアの進行方向に対して交互に千鳥掛けの位置になるように配置し、当該コンベア・チェーンへの進行横方向から加えられるストレスに対して強化を図っている。
【００２０】
各ユニットを連結するための連結棒２１は、通常、プラスチックの丸棒を用い、構成するコンベア・チェーンの幅に応じて切断して使用する。
【００２１】
尚、図１のＤに示すように、該突出部の外側の側壁面には連結棒２１を係止するためのプラグ（図３に示す）をユニットの外側端面の内側に受け入れるための溝７が設けられている。
【００２２】
図３は、該連結棒を係止するためのプラグを示す。プラグは２つのフック１３，１４とこれらを連結する連結部１５からなる。コンベア・チェーンを組み立てる際の作業性を考慮して、連結部１５の一方の端はフック１３を越えて突き出している。該突き出し部１６を有する方のフック１３を図１のＤに示す連結用開口部５に押し込む。特に図２で明らかなように、フック１３は突出部を構成する側壁の内側に掛かることで、何らかの理由で連結棒を開口部から抜けさせるような負荷が連結棒にかかっても、その連結棒がフック１３の頭部を押すことでさらに強固にフック１３が側壁に係止されるためにフックが容易に外れることがない。他方のフック１４はユニットのリブ端部に設けられる横溝９（図１のＣに示す）にはまり、該２カ所のフックにより確実な抜け防止を確保している。さらに、当該プラグの連結部１５には両端に向かってテーパー処理されており、長時間の使用によりユニットの端面が摩耗して磨り減るような状態になっても、フックの端部が外部の突起等に引っかかって抜け落ちてしまう事態を防止すると共に、横からのプラグ装着なので、設置現場における着脱作業性に優れている。
【００２３】
【発明の効果】
２つのフックがそれぞれリブの溝と連結棒（ピン）が貫通する開口部内で係止されることで容易にフックが外れないばかりは、その構成をとることによって、正逆回転可能な構成となるコンベア・チェーン・ユニットをも提供でき、しかもそのユニットの幅を２種類用意することで、その短い幅のユニットの整数倍の任意の幅広のチェーンを構成できることともなった。
【図面の簡単な説明】
【図１】本願発明にかかるコンベア・チェーン・ユニットを表す。
【図２】図１のコンベア・チェーン・ユニットを縦横方向に複数個連結したコンベア・チェーンを示す。
【図３】図２のコンベア・チェーンを連結する連結棒を係止するためのプラグを示す。
【図１】
0003586769.tif 000002
【図２】
0003586769.tif 000003
【図３】
0003586769.tif 000004